(57)【要約】【課題】  時刻指定印刷機能を備える画像形成装置に対して印刷予約設定を行うにあたり、ユーザの利便性の向上を図る。【解決手段】  ブラウザ機能を備える複数の情報処理装置と通信可能に接続される画像形成装置を制御する制御方法であって、印刷用データを記憶する記憶工程と、前記印刷用データを印刷するタイミングを示す情報を設定する設定工程（ステップ１２０１）と、前記ブラウザ機能を介してアクセスされ、前記印刷用データの印刷要求を受け付けるとともに、該印刷要求の数をカウントするオブジェクトをウェブサービスとして提供する提供工程（ステップＳ１２０５）と、前記印刷用データを、前記設定されたタイミングで、前記カウントされた数に基づく枚数分、印刷する印刷工程（ステップ１２０７〜１２１０）とを備える。【選択図】  図１２
2008213339.tif 000002
【特許請求の範囲】
【請求項１】
複数の情報処理装置と通信可能に接続される画像形成装置であって、
印刷用データを記憶する記憶手段と、
前記印刷用データを印刷するタイミングを示す情報を設定する設定手段と、
前記複数の情報処理装置のいずれかから前記印刷用データの印刷要求を受け付けるとともに、該印刷要求の数をカウントするカウント手段と、
前記印刷用データを、前記設定されたタイミングで、前記カウントされた数に基づく枚数分、印刷する印刷手段と
を備えることを特徴とする画像形成装置。
【請求項２】
前記複数の情報処理装置に対して、前記印刷要求の数をカウントするオブジェクトのＵＲＬが付加されたメールを送信するメール送信手段を更に備えることを特徴とする請求項１に記載の画像形成装置。
【請求項３】
前記印刷手段を動作させるためのドライバを備える情報処理装置と通信可能に接続され、
前記記憶手段は、前記ドライバにて生成され、前記ドライバを備える情報処理装置より送信された印刷ジョブに基づいて生成された印刷用データを記憶し、
前記設定手段は、前記ドライバを介して設定された、前記印刷用データを印刷するタイミングを示す情報を、前記送信された印刷ジョブより抽出し、設定することを特徴とする請求項１に記載の画像形成装置。
【請求項４】
印刷用データを印刷装置により印刷させるためのデータ処理方法であって、
記憶装置に記憶された前記印刷用データを印刷するタイミングを示す情報を設定する設定工程と、
複数のユーザから前記印刷用データの印刷要求を受け付けるとともに、該印刷要求の数をカウントするカウント工程と、
前記印刷用データを、前記設定されたタイミングで、前記カウントされた数に基づく枚数分、前記印刷装置で印刷するよう指示する指示工程と
を備えることを特徴とするデータ処理方法。
【請求項５】
請求項４に記載のデータ処理方法をコンピュータによって実現させるための制御プログラム。
【発明の詳細な説明】
【技術分野】
【０００１】
本発明は、予め指定されたタイミングで印刷ジョブを印刷する画像形成装置およびデータ処理方法に関するものである。
【背景技術】
【０００２】
近年、複写機やプリンタ等の画像形成装置は多機能化が進み、ユーザにとって利便性の高い様々な機能が搭載されるようになってきている。
【０００３】
例えば、下記特許文献１には、印刷ジョブを記憶し、指定された時間に出力する時刻指定印刷機能を備える画像形成装置において、印刷を開始したにも関わらず、用紙が不足して印刷が完了できないといった事態を回避する機能が開示されている。
【０００４】
また、下記特許文献２には、時刻指定印刷機能を備える画像形成装置において、印刷予約設定時に、既に予約設定されている予約枚数をカウントし、給紙カセットの容量と対比する機能が開示されている。これにより印刷予約設定しようとしている枚数分の用紙が給紙カセットに格納されているか否かを判断でき、印刷時の用紙不足の心配をすることなく、確実に予約枚数分の印刷を行うことが可能となる。
【０００５】
そして、このような多機能化された画像形成装置を用いることで、業務効率を向上させるための様々な提案がなされうる。例えば、かかる画像形成装置を会議室等に配し、会議開始時刻にあわせて会議出席者分の枚数の会議資料を印刷予約しておけば、会議開始時に所望の枚数の資料を確実に会議室で受け取ることができるようになる。
【特許文献１】特開平１０−１３３５３０号公報
【特許文献２】特開２００４−２６２０７８号公報
【発明の開示】
【発明が解決しようとする課題】
【０００６】
しかしながら、上述のような多機能化された画像形成装置の利用に際しては、一方で、印刷予約設定に手間がかかるという問題がある。特に会議出席者分の部数を印刷予約する場合にあっては、会議出席者の増減に合わせて、予約部数の設定もやりなおさなければならず、そのたびに会議室に出向くことは、ユーザにとって利便性が悪い。このため、このような操作についてもできるだけ簡素化し、ユーザの利便性を向上させることが望ましい。
【０００７】
本発明は、上記課題に鑑みてなされたものであり、時刻指定印刷機能を備える画像形成装置に対して印刷予約設定を行うにあたり、ユーザの利便性の向上を図ることを目的とする。
【課題を解決するための手段】
【０００８】
上記の目的を達成するために本発明に係る画像形成装置は以下のような構成を備える。即ち、
複数の情報処理装置と通信可能に接続される画像形成装置であって、
印刷用データを記憶する記憶手段と、
前記印刷用データを印刷するタイミングを示す情報を設定する設定手段と、
前記複数の情報処理装置のいずれかから前記印刷用データの印刷要求を受け付けるとともに、該印刷要求の数をカウントするカウント手段と、
前記印刷用データを、前記設定されたタイミングで、前記カウントされた数に基づく枚数分、印刷する印刷手段とを備える。
【発明の効果】
【０００９】
本発明によれば、時刻指定印刷機能を備える画像形成装置に対して印刷予約設定を行うにあたり、ユーザの利便性が向上する。
【発明を実施するための最良の形態】
【００１０】
［第１の実施形態］
１．画像形成システムの全体構成
図１は、本発明の第１の実施形態にかかる画像形成装置（１０７）を備える画像形成システムの全体構成の一例を示す図である。
【００１１】
図１において、１０１はＬＡＮ（Ｌｏｃａｌ  Ａｒｅａ  Ｎｅｔｗｏｒｋ）である。１０３および１０４は情報処理装置であり、いわゆるＰＣ（パーソナルコンピュータ）が備えるハードウェア資源を有している。なお、情報処理装置１０３、１０４はいずれも、画像形成装置１０７が有するウェブサーバ機能（詳細は後述）が提供するウェブサイト（オブジェクト）にアクセスするためのブラウザ機能を備えているものとする。更に、画像形成装置１０７が有するメール送信機能（詳細は後述）により送信されたメールを受信するメール受信機能を備えているものとする。
【００１２】
１０６、１０７はＭＦＰ（Ｍｕｌｔｉ  Ｆｕｎｃｔｉｏｎ  Ｐｅｒｉｐｈｅｒａｌ：マルチファンクション周辺機器）型の画像形成装置である。また、１０５はＳＦＰ（Ｓｉｎｇｌｅ  Ｆｕｎｃｔｉｏｎ  Ｐｅｒｉｐｈｅｒａｌ：単一機能周辺機器）型の画像形成装置である。
【００１３】
情報処理装置１０４および画像形成装置１０５〜１０７の各装置は、ＬＡＮ１０１に直接接続され、また、情報処理装置１０３はインターネット１０２を介してＬＡＮ１０１に接続されている。ＬＡＮ１０１に接続されたこれらの装置は、装置同士が所定のプロトコルを用いて通信することができるよう構成されている。
【００１４】
２．画像形成装置の構成
図２は、本発明の第１の実施形態にかかる画像形成装置（１０７）の機能構成を示す図である。
【００１５】
同図において、２１３は入力画像処理部であり、紙原稿２１４などの画像を読み取り、読み取られた画像データを画像処理する。２１２はＦＡＸ・メール送受信部であり、電話回線２１５を利用してＦＡＸやメールの送受信を行う。ＦＡＸ・メール送受信部２１２を用いることで、「メール送信機能」が実現される。情報処理装置１０３、１０４に対して送信される会議案内等のメールは、当該メール送信機能を利用して送信される。
【００１６】
２１１はＮＩＣ（Ｎｅｔｗｏｒｋ  Ｉｎｔｅｒｆａｃｅ  Ｃａｒｄ）部であり、ネットワーク２１６を利用して、情報処理装置１０３や１０４との間で、印刷ジョブや装置情報等のやりとりをする。
【００１７】
２１０は専用Ｉ／Ｆ部であり、外部デバイス２１７（例えば、外付けのハードディスク等）と画像データなどの情報のやりとりを行う。２０９はＵＳＢ  Ｉ／Ｆ部であり、ＵＳＢ（Ｕｎｉｖｅｒｓａｌ  Ｓｅｒｉａｌ  Ｂｕｓ）メモリ（リムーバブルメディアの一種）２１８に代表されるＵＳＢ機器との間で画像データなどの情報のやりとりを行う。
【００１８】
２０１はシステム制御部であり、用途に応じて画像データを一時保存したり、印刷ジョブの経路を決定したりといった制御処理を担っている。
【００１９】
２０７はデータ管理部であり、複数の画像データを格納可能なハードディスク等のメモリを具備する。データ管理部２０７は、システム制御部２０１による制御のもと、該メモリに画像データを格納したり、該メモリに格納された画像データを読み出したりすることができる。
【００２０】
なお、画像形成装置１０７では、入力画像処理部２１３を介して入力された画像データを、該メモリを介してプリンタ部２１９において印刷することで「コピー機能」を実現している。また、情報処理装置１０３、１０４から出力された印刷ジョブをＮＩＣ部２１１を介して受信し、これを該メモリを介してプリンタ部２１９にて印刷することで、「プリント機能」を実現している。なお、プリント機能の実現に際して、ＮＩＣ部２１１を介して受信した印刷ジョブがＰＤＬデータであった場合にあっては、ＲＩＰ部２０３にてＲＩＰ処理を施したうえで、必要に応じて出力画像処理部２０４で印刷のための画像処理を行う。なお、ＲＩＰとはＲａｓｔｅｒ  Ｉｍａｇｅ  Ｐｒｏｃｅｓｓｏｒの略称である。
【００２１】
更に、その際に作られるプリントレディデータ（印刷用のビットマップデータやそれを圧縮したデータ）を必要に応じて、データ管理部２０７に再度格納することもできる（当該機能を「ボックス機能」と称す）。なお、ボックス機能には、ボックススキャン、ボックスプリント、ボックス受信、あるいは、ボックス送信などが含まれ、データ管理部２０７を利用してデータの書き込みや読み出し（入出力）を伴う各種機能が含まれる。具体的には、印刷ジョブ毎やユーザ毎にデータ管理部２０７内のメモリを分割して一次的にデータを保存し、ユーザＩＤやパスワードを組み合わせることで当該データの入出力を行っている。
【００２２】
２０８は圧縮伸張部であり、画像データをデータ管理部２０７に記憶する際に、必要に応じて、画像データを圧縮したり、逆にデータ管理部２０７に圧縮して格納された画像データを読み出す際に元の画像データに伸張したりするなどの処理を行う。
【００２３】
２０６はリソース管理部であり、フォント、カラープロファイル、ガンマテーブルなど共通に扱われる各種パラメータテーブルが格納されており、必要に応じて呼び出すことができる。また、新しいパラメータテーブルを格納したり、既存のパラメータテーブルを修正して更新したりすることができる。
【００２４】
２１９は画像形成を行うプリンタ部である。プリンタ部２１９で印刷されたシートは後処理部２０５へ送り込まれ、シートの仕分け処理やシートの仕上げ処理が行われる。
【００２５】
更に、操作部２０２は、上記機能を選択したり操作指示したりするためのものであり、タッチパネル部とキー入力部とにより構成されている。なお、操作部２０２のタッチパネル部に高解像度のものを用い、印刷前にデータ管理部２０７にある画像データをプレビューし、ユーザによる確認の結果、ＯＫならば印刷するといった機能を付加するようにしてもよい。
【００２６】
更に、画像形成装置１０７には、図２を用いて説明した上記機能のほか、ウェブサーバ機能が備えられており、情報処理装置１０３、１０４に対して、ウェブサイトを提供することができる。本実施形態において提供されるウェブサイトは、上記メール送信機能を用いて情報処理装置１０３、１０４に送信された会議案内等のメールに対して、受信者が、該会議の会議資料が必要か否か（印刷要求）を入力できるように構成されている。つまり、ユーザは情報処理装置１０３、１０４が有するブラウザ機能を介して当該ウェブサイトにアクセスし、印刷要求を入力することができる。そして、画像形成装置１０７では当該印刷要求をカウントし、印刷予約設定することで、時刻指定印刷の際に必要な印刷枚数を決定している。
【００２７】
３．画像形成装置の操作部の構成
次に、図３を用いて画像形成装置１０７の操作部２０２の詳細について説明する。
【００２８】
図３は画像形成装置１０７の操作部２０２の詳細を示す図である。同図に示すように、操作部２０２は、キー入力部３０２とタッチパネル部３０１とを備える。
【００２９】
キー入力部３０２は、定常的な操作設定を行うことができるキー入力部分であり、スタートキー、ストップキー、テンキー、クリアキー、リセットキー、ユーザモードキーなどを備える。なお、キー入力部３０２についての詳細な説明は割愛する。
【００３０】
タッチパネル部３０１は、ＬＣＤ（Ｌｉｑｕｉｄ  Ｃｒｙｓｔａｌ  Ｄｉｓｐｌａｙ：液晶表示部）とその上に貼られた透明電極とから構成されている。ＬＣＤに表示されるキー相当部分の透明電極を指で触れると、それを検知し別の操作画面に遷移するといった動作を行う。
【００３１】
なお、図３はスタンバイモード時の初期画面が表示された様子を示しているが、ユーザは、タブ３１１〜３１５を操作することにより他の操作画面を表示させることができる。
【００３２】
３１１はコピータブであり、コピー動作の操作画面に遷移するためのタブキーである。３１２は送信タブであり、ＦＡＸやメールなどの送信（Ｓｅｎｄ）動作を指示する操作画面に遷移するためのタブキーである。３１３はボックスタブであり、ボックスにプリントレディデータを格納したり、ボックスからプリントレディデータを読み出したりするための操作画面に遷移するためのタブキーである。３１４は拡張１タブであり、拡張機能（時刻指定印刷機能）を実現するための印刷予約設定をするための操作画面に遷移するためのタブキーである。３１５は拡張２タブであり、拡張機能（ウェブサーバ機能）を実現するためのウェブサイトに関する設定をするための操作画面に遷移するためのタブキーである。
【００３３】
なお、以下では、上記５種類のタブキーのうち、ボックスタブ３１３、拡張１タブ３１４、送信タブ３１２、拡張２タブ３１５において設定される機能（ボックス機能、時刻指定印刷機能、メール送信機能、ウェブサーバ機能）について説明する。なお、説明は、必要に応じて、各タブキーを押下することにより表示される各操作画面を参照しながら行うものとする。
【００３４】
４．ボックス機能の説明
ボックスタブ３１３を押下すると、タッチパネル部３０１には、データ管理部２０７に既に格納されているプリントレディデータの一覧が表示される。これにより、ユーザは、当該一覧の中から、時刻指定印刷を行う対象を選択する。後述する印刷予約設定に基づいて行われる時刻指定印刷は、ボックスタブ３１３において選択されたプリントレディデータを対象に行われる。
【００３５】
５．時刻指定印刷機能の説明
５．１  印刷予約設定をするための画面
次に拡張１タブ３１４を押下することにより表示される図４の操作画面（印刷予約設定をするための操作画面）を参照しながら、時刻指定印刷機能について説明する。
【００３６】
図４は、拡張１タブ３１４を押下することにより表示される操作画面の一例を示す図である。
【００３７】
時間設定ボタン４０８は印刷を行う時間（印刷予定時刻）を設定するための設定画面（時間指定画面）へ遷移するためのボタンである。時間設定表示テキストボックス４０３は設定が完了した場合に、該設定された印刷予定時刻が表示されるボックスである。
【００３８】
場所設定ボタン４０７は印刷を行う場所（出力場所）を設定するための設定画面（出力場所指定画面）へ遷移するためのボタンである。場所設定表示テキストボックス４０４は設定が完了した場合に、該設定された出力場所が表示されるボックスである。
【００３９】
ユーザ設定ボタン４０６は印刷を行うかどうかを確認するユーザ（本実施形態では会議案内を送信するユーザ）についての情報（ユーザ情報）を設定するための設定画面（ユーザ選択画面）へ遷移するためのボタンである。ユーザ設定表示テキストボックス４０５は設定が完了した場合に、該設定されたユーザ情報が表示されるボックスである。
【００４０】
詳細設定ボタン４１２は印刷予定時刻、出力場所、ユーザ情報以外の情報を設定をするための設定画面に遷移するためのボタンである。
【００４１】
ＯＫボタン４０９は印刷予約設定を登録するためのボタンである。なお、時刻指定印刷を行うのに必要な印刷予約設定が行われるまでは、ＯＫボタン４０９はユーザが押すことができないようになっている。
【００４２】
ＯＫボタン４０９を押すと印刷予約設定を登録するかどうかを確認するダイアログが表示され、そこでＯＫボタンを押すと、印刷予約設定が登録される。
【００４３】
タスク状況ボタン４１１は画像形成装置１０７内に登録されている印刷予約設定について検索、確認、設定変更等を行うための操作画面（印刷予約設定登録状態表示画面）へ遷移するためのボタンである。
【００４４】
Ｃａｎｃｅｌボタン４１０は印刷予約設定をキャンセルするためのボタンである。すでにいくつかの項目が設定された状態で、Ｃａｎｃｅｌボタン４１０を押下すると、キャンセルしてもよいかどうかを確認するための確認ダイアログが表示され、該確認ダイアログ上でＯＫボタンを押すと印刷予約設定が削除される。つまり、当該印刷予約設定は登録されない。なお、何も設定していない状態でＣａｎｃｅｌボタン４１０を押下した場合には、図３で示している画面（初期画面）に遷移する。
【００４５】
５．２  印刷予約設定におけるユーザ選択画面
図５はユーザ設定ボタン４０６を押下した場合に表示されるユーザ選択画面の一例を示す図である。
【００４６】
ユーザ選択画面は、時刻指定印刷の対象となるプリントレディデータについて印刷が必要かどうかを確認するためのメール（本実施形態にあっては会議案内のメール）を通知するユーザを設定する設定画面である。
【００４７】
ユーザ設定ボタン５０７は図４の４０６に対応し、ボタンが押されている様子を示している。
【００４８】
５０１はユーザチェックボックスである。該ユーザチェックボックス５０１を選択すると、あらかじめ画像形成装置１０７に登録されているユーザであって、かつメールアドレスが登録されているユーザのリストがリスト表示テキストボックス５０３に表示される。なお、ユーザの登録ならびにメールアドレスの登録についてはキー入力部３０２のユーザモードキーを用いて行うことが可能であるものとし、ここでは詳細な説明は割愛する。
【００４９】
５０２はグループチェックボックスであり、該グループチェックボックス５０２を選択すると、あらかじめ画像形成装置１０７に登録されているグループのリストがリスト表示テキストボックス５０３に表示される。なお、グループの登録についてもユーザの登録と同様の方法で行われるものとする。
【００５０】
追加ボタン５０４は、リスト表示テキストボックス５０３にてユーザあるいはグループが選択されている場合にのみ押下可能であり、あて先リスト表示部５０６へユーザあるいはグループを追加する際に用いられるボタンである。
【００５１】
削除ボタン５０５は追加ボタン５０４とは逆に、あて先リスト表示部５０６内のユーザまたはグループをリスト表示テキストボックス５０３へ移動させる際に用いるボタンである。
【００５２】
ＯＫボタン５０８が押下されると、あて先リスト表示部５０６に表示されたユーザまたはグループが、会議案内のメールを通知するあて先として設定される。なお、あて先リスト表示部５０６に表示されたユーザまたはグループがない場合には、ＯＫボタン５０８が押下不可能となっているものとする。
【００５３】
Ｃａｎｃｅｌボタン５０９が押下されると、あて先リスト表示部５０６に表示されたすべてのユーザまたはグループをリスト表示テキストボックス５０３に移動させる処理を行う。一方、あて先リスト表示部５０６に表示されたユーザまたはグループがない場合には、図４の操作画面に遷移する。
【００５４】
５．３  印刷予約設定における出力場所指定画面
図６は場所設定ボタン４０７を押下した場合に表示される出力場所指定画面の一例を示す図である。出力場所指定画面は、印刷物を出力する場所の設定を行うための画面である。
【００５５】
場所設定ボタン６０１は図４の４０７に対応し、ボタンが押されている様子を示している。
【００５６】
検索ボタン６０２はネットワーク２１６上に存在する他の画像形成装置（１０５、１０６）を検索するためのボタンである。検索ボタン６０２を押すとＮＩＣ部２１１を通して所定のプロトコルの信号をブロードキャストする。その信号に対して応答があったものを検索結果表示部６０３に表示する。
【００５７】
選択ボタン６０４は出力先を選ぶためのボタンであり、検索結果表示部６０３にてユーザがリストから出力先を選択したときのみ押下可能となる。押下するとユーザが選択した出力先が選択結果表示部６０５に表示される。選択をキャンセルするには検索結果表示部６０３において他の出力先を選択するか、Ｃａｎｃｅｌボタン６０７を押下するかのいずれかの操作が必要である。Ｃａｎｃｅｌボタン６０７を押すと出力先の選択をキャンセルすることができる。また出力先が選択されていなければ図４の操作画面へ遷移する。
【００５８】
選択された出力先が選択結果表示部６０５に表示された状態で、ＯＫボタン６０６を押下すると、時刻指定印刷の出力先として印刷予約設定される。一方、選択結果表示部６０５に何も表示されていない場合には、図４の操作画面に遷移する（この場合、出力先は自装置となる）。
【００５９】
５．４  印刷予約設定における時間指定画面
図７は時間設定ボタン４０８を押下した場合に表示される時間指定画面の一例を示す図である。時間指定画面は、時刻指定印刷において印刷予定時刻を設定するための画面である。時間設定ボタン７０１は図４の４０８に対応し、ボタンが押されている様子を示している。
【００６０】
年月選択ボタン７０３は年月設定ダイアログ７０４を表示するためのボタンである。年月設定ダイアログ７０４にて年、月を選択することが可能である。年月表示部７０２には年月設定ダイアログ７０４にて選択した年、月が表示される。時間表示部７０５には選択した時間が表示される。分表示部７０６には選択した分が表示される。
【００６１】
Ｃａｎｃｅｌボタン７０８を押すと選択をキャンセルすることができる。また選択が行われていなければ図４の操作画面へ遷移する。
【００６２】
ＯＫボタン７０７を押すと、選択された年、月日、時間、分が印刷予定時刻として印刷予約設定される。選択された年、月日、時間、分がなければ何もせずに図４の操作画面に遷移する。
【００６３】
５．５  印刷予約設定登録状態表示画面
図８はタスク状況ボタン４１１を押下した場合に表示される印刷予約設定登録状態表示画面の一例を示す図である。
【００６４】
８０１、８０４、８０７はチェックボックスであり、登録された印刷予約設定（登録印刷予約設定）の中から、所定の登録印刷予約設定を検索する際に、各出力場所、印刷予約者、ステータスを検索条件とするかどうかを選択するためのチェックボックスである。チェックボックスにて選択されたもののみが検索ボタン８１０押下時の検索対象となる。
【００６５】
選択リスト表示ボタン８０３は検索したい登録印刷予約設定の検索条件である出力場所属性を設定するためのボタンである。ボタンを押下すると出力場所リストを表示する。選択結果は出力場所検索条件表示部８０２に表示される。
【００６６】
選択リスト表示ボタン８０６は検索したい登録印刷予約設定の検索条件である印刷予約者属性を設定するためのボタンである。ボタンを押下すると予約者リストを表示する。選択結果は予約者検索条件表示部８０５に表示される。
【００６７】
選択リスト表示ボタン８０９は検索したい登録印刷予約設定の検索条件であるステータス属性を設定するためのボタンである。ボタンを押下するとステータスリストを表示する。選択結果はステータス検索条件表示部８０８に表示される。
【００６８】
ＩＤ表示部８１９は検索でヒットした登録印刷予約設定にユニークについているＩＤを表示する。文書名表示部８１８は検索でヒットした登録印刷予約設定において印刷対象として設定されたプリントレディデータの登録時の文書名を表示する。
【００６９】
出力場所表示部８１７は検索でヒットした登録印刷予約設定において設定された出力場所を表示する。時間表示部８１６は検索でヒットした登録印刷予約設定において設定された印刷予定時刻を表示する。
【００７０】
印刷予約者表示部８１５は検索でヒットした登録印刷予約設定を登録したユーザ名を表示する。印刷枚数表示部８１４は検索でヒットした登録印刷予約設定において現在設定されている印刷枚数を表示する。
【００７１】
ステータス表示部８１３は検索でヒットした登録印刷予約設定の現在のステータスを表示する。ステータスにはすでに印刷済みの場合は“印刷完了”と表示し、印刷予定時刻となっていない場合は“印刷予約”と表示する。
【００７２】
戻るボタン８１２は図４の操作画面へ戻るためのボタンであり、当該ボタンを押下すると図４の操作画面へと遷移する。
【００７３】
詳細ボタン８１１は各登録印刷予約設定の詳細を閲覧するためのボタンである。
【００７４】
５．６  印刷予約設定における詳細設定画面
図９は図４にて詳細設定ボタン４１２を押下した場合に遷移する詳細設定画面の一例を示す図である。詳細設定画面は、時刻指定印刷の詳細設定を行うための画面である。
【００７５】
９０１はメール通知カスタマイズ本文表示部であり、ユーザに送信されるメールのカスタマイズ部を設定する部分である。カスタマイズ本文は画像形成装置１０７が備えているソフトキーボード機能を用いて入力される。
【００７６】
９０２はデフォルト印刷枚数表示部であり、９０３は印刷枚数設定リストボタンである。なお、画像形成装置１０７では、印刷枚数は会議案内等のメールに添付されたＵＲＬ（画像形成装置１０７が提供するウェブサイトのＵＲＬ）に、ユーザがアクセスし、印刷要求を行うごとに１ずつインクリメントされる。一方、デフォルト印刷枚数表示部９０２に表示される印刷枚数は、ユーザの当該印刷要求とは無関係にデフォルトで設定される印刷枚数である。通常、デフォルト印刷枚数表示部９０２には初期値として０が設定されている。
【００７７】
６．ウェブサーバ機能
次に、拡張２タブ３１５にて生成されるウェブサイトについて図１０を用いて説明する。図１０は、拡張２タブ３１５において生成され、情報処理装置１０３、１０４にアクセス可能に提供されるウェブサイトの一例を示す図である。情報処理装置１０３、１０４が有するブラウザ機能を用いて、１００２に示すＵＲＬにアクセスすることにより閲覧することができる。
【００７８】
ブラウザを介して表示されたウェブサイト１００１において、１００３および１００４は、会議案内を受信したユーザが、会議への出席にあたり、所定の会議資料が必要か否かを指示するための欄である。印刷する旨の指示を入力する欄１００３をチェックしてＯＫボタン１００５を押下すると、当該印刷要求が、ユーザ名とともに情報処理装置１０３または１０４から画像形成装置１０７に送信される。
【００７９】
画像形成装置１０７では、当該印刷要求を受信すると、現在設定されている印刷枚数のカウントをインクリメントする。
【００８０】
一方、印刷しない旨の指示を入力する欄１００４をチェックしてＯＫボタン１００５を押下すると、当該印刷しない旨の要求は、ユーザ名とともに情報処理装置１０３または１０４から画像形成装置１０７に送信される。
【００８１】
１００７はユーザステータス表示欄であり、会議案内をメール送信したユーザについてのステータスを表示する。ユーザステータス表示欄１００７において、“未定”となっているのは、印刷要求および印刷しない旨の要求のいずれも送信していないユーザである。ユーザステータス表示欄１００７において、“印刷する”と表示されているのは、印刷要求を送信したユーザである。一方、ユーザステータス表示欄１００７において、“印刷しない”と表示されているのは、印刷しない旨の要求を行ったユーザである。
【００８２】
１００６はキャンセルボタンであり、当該ボタンを押下するとブラウザが終了する。
【００８３】
７．メール送信機能
次に、送信タブ３１２にて生成され、送信指示されることで送信される会議案内のメールについて図１１を用いて説明する。図１１は、送信タブ３１２において生成され、情報処理装置１０３、１０４に送信された会議案内のメールの一例を示す図である。ユーザは情報処理装置１０３、１０４が有するメール受信機能を用いることにより、当該メールを受信し、閲覧する。
【００８４】
同図に示すように、送信タブ３１２にて生成・送信されるメールには、拡張１タブ３１４のカスタマイズ本文表示部９０１（図９参照）にて入力された文章が、カスタマイズ本文として記載される（１１０１参照）。ただし、カスタマイズ本文以外の記載は、送信タブ３１２にてメールを生成する際に任意に記載することができるものとする。
【００８５】
なお、本実施形態では、メールの生成に際してユーザがウェブサイトのＵＲＬを必ず記載しているものとする（１１０２参照）。これにより、当該メールを受信したユーザは、当該ＵＲＬにアクセスし、印刷要求または印刷しない旨の要求を画像形成装置１０７に対して簡単に行うことができるからである。
【００８６】
なお、送信タブ３１２において生成・送信されるメールは、拡張１タブ３１４のユーザ設定ボタン５０７を押下することにより選択されたユーザに対してのみ送信されるものとする。換言すると、ユーザ設定ボタン５０７を押下することにより選択されたユーザが、送信されるメールのあて先として設定される。
【００８７】
８．時刻指定印刷処理の流れ
次に、図１２を用いて時刻指定印刷処理の流れについて説明する。図１２は、本実施形態にかかる画像形成システムにおける時刻指定印刷処理の流れを示すフローチャートである（紙面左側は、画像形成装置１０７における処理の流れを、紙面右側は、情報処理装置１０３または１０４における処理の流れを示している）。
【００８８】
ステップＳ１２０１では、時間指定画面（図７）を介してユーザが入力した印刷予定時刻を設定する。ステップＳ１２０２では、ユーザ選択画面（図５）を介してユーザが入力したユーザをメール送信のあて先として設定する。
【００８９】
ステップＳ１２０３では、出力場所指定画面（図６）を介してユーザが入力した出力場所を設定する。
【００９０】
ステップＳ１２０４では、ボックスタブ３１３においてユーザが選択したプリントレディデータを、印刷予定時刻、ユーザ情報、出力場所と対応付けて、印刷予約設定として登録する。
【００９１】
ステップＳ１２０５では、拡張２タブ３１５において生成されたウェブサイトをアクセス可能に設定する。ステップＳ１２０５では、送信タブ３１２において生成された会議案内のメール（図１１）をステップＳ１２０２において設定されたあて先に向けて送信する。
【００９２】
情報処理装置１０３および１０４では、当該送信されたメール（図１１）を受信する（ステップＳ１２１２）。情報処理装置１０３または１０４のユーザは、ブラウザ機能を用いて、当該メールに記載されたＵＲＬにアクセスし、図１０に示すウェブサイトを情報処理装置１０３または１０４上に表示する。そして、ユーザは、図１１のメールの内容に基づいて、会議資料が必要か否かを判断し、該判断に従ってウェブサイトに入力を行う。ブラウザは該入力内容を印刷要求としてまたは印刷しない旨の要求として該ユーザＩＤとともに画像形成装置１０７に送信する（ステップＳ１２１３）。なお、ユーザＩＤは、情報処理装置１０３または１０４にログインする際にユーザが予め入力しているものとする（ステップＳ１２１１）。
【００９３】
画像形成装置１０７では、情報処理装置１０３または１０４から送信された内容に基づいて、印刷要求か印刷しない旨の要求かを認識する。また、送信したユーザのユーザＩＤを認識する。そして、これらの認識結果に基づいて、ウェブサイト１００１のユーザステータスを更新すると共に、印刷要求と認識した場合にあっては、印刷予約設定の印刷枚数をインクリメントする。
【００９４】
ステップＳ１２０８では、ステップＳ１２０１において設定された印刷予定時刻になったか否かを判定する。印刷予定時刻になったと判定された場合には、ステップＳ１２０９に進み、印刷枚数が１枚以上であるか否かを判定する。
【００９５】
ステップＳ１２０９において印刷枚数が１枚以上であると判定された場合には、ステップＳ１２１０に進む。ステップＳ１２１０では、印刷予約設定において印刷対象として選択されたプリントレディデータをデータ管理部２０７より読み出し、ステップＳ１２０７において認識された印刷枚数分、印刷する。一方、印刷枚数が１枚以上でないと判定された場合には、印刷は実行されることなく、処理を終了する。
【００９６】
以上の説明から明らかなように、本実施形態にかかる画像形成装置の場合、時刻指定印刷機能に加え、ウェブサーバ機能を備え、各情報処理装置からの印刷要求をカウントし、カウント結果を印刷枚数として自動的に印刷予約設定に反映させる構成とした。
【００９７】
この結果、ユーザは印刷枚数の設定を行う必要がなくなり、時刻指定印刷機能を備える画像形成装置に対して印刷予約設定を行う際の、ユーザの利便性が向上することとなる。
【００９８】
更に、本実施形態にかかる画像形成装置は、メール送信機能を備えており、会議案内等のメールを各情報処理装置に送信するに際して、印刷要求をカウントするウェブサイトのＵＲＬを付加することができる。これにより、各情報処理装置のユーザは、当該ウェブサイトに簡単にアクセスすることができる。
【００９９】
［第２の実施形態］
上記第１の実施形態では、時刻指定印刷を行うにあたり、データ管理部２０７に記憶されたプリントレディデータの選択、該印刷予定時刻の指定、出力場所の選択を画像形成装置１０７にて行うこととしたが、本発明は特にこれに限定されるものではない。例えば、画像形成装置１０７に接続される情報処理装置を、画像形成装置１０７用のプリンタドライバを備える印刷クライアントとして機能させ、該プリンタドライバを介して入力するようにしてもよい。
【０１００】
１．画像形成システムの全体構成
画像形成システムの全体構成は上記第１の実施形態（図１）と同様であるが、情報処理装置１０３、１０４のうち、情報処理装置１０４は、画像形成装置１０７用のプリンタドライバを備えているものとする。つまり、情報処理装置１０４は、画像形成装置１０７に対する印刷クライアントとして機能する。
【０１０１】
２．情報処理装置１０４の構成
図１３は、本発明の第２の実施形態にかかる画像形成システムにおける情報処理装置１０４の構成を示す図である。
【０１０２】
図１３において、１３０１は制御メモリ（ＲＯＭ）、１３０２は中央演算処理装置（ＣＰＵ）、１３０３はメモリ（ＲＡＭ）、１３０４は入力装置、１３０５は表示装置、１３０６は外部記憶装置、１３０７はバスである。本実施形態にかかる時刻指定印刷機能を実現するための制御プログラムやその制御プログラムで用いるデータは、外部記憶装置１３０６に記憶される。具体的には、会議資料を作成するためのドキュメント作成用アプリケーション１３１１、ブラウザ１３１２、プリンタドライバ１３１３、ＯＳ１３１４が外部記憶装置１３０６に記憶される。
【０１０３】
これらの制御プログラム等は、中央演算処理装置１３０２の制御のもと、バス１３０７を通じて適宜メモリ１３０３に取り込まれ、中央演算処理装置１３０２によって実行される。
【０１０４】
３．情報処理装置１０４における印刷予約設定のための情報入力機能
情報処理装置１０４では、ドキュメント作成用アプリケーション１３１１から印刷指示があった場合には、プリンタドライバ１３１３の印刷制御画面が表示装置１３０５上に表示される。そして、ユーザは、該表示された印刷制御画面を介して印刷予約設定のための情報入力を行う。以下、該印刷制御画面の図（図１４〜１７）を参照しながら、情報処理装置１０４における印刷予約設定のための情報入力機能について説明する。
【０１０５】
３．１  プリンタドライバ１３１３の印刷制御画面
図１４はドキュメント作成用アプリケーション１３１１において印刷指示を選択した場合に表示される、プリンタドライバ１３１３のダイアログの一例を示す図である。プリンタドライバ１３１３はドキュメント作成用アプリケーション１３１１から画像形成装置１０７のプリンタ部２１９にプルーフ出力したり、最終成果物を出力したりするための手段として利用される。
【０１０６】
プリンタドライバ１３１３の印刷制御画面は、ユーザが画像形成装置１０７にて印刷ジョブを出力する場合に、ドキュメント作成用アプリケーション１３１１の印刷メニューを選択することにより表示される画面である。
【０１０７】
ユーザが、該印刷制御画面の「プリンタ名」プルダウンリストボックス１４０１より、使用する画像形成装置を選択すると、その下の「状態」欄に選択された画像形成装置の状態が表示される。また、「種類」欄にはプリンタドライバ１３１３の種類が、「場所」欄には選択された画像形成装置の設置場所情報が、「コメント」欄には選択された画像形成装置の管理者からのコメント情報がそれぞれ表示される。
【０１０８】
また、プロパティボタン１４０２を選択することにより更なる詳細設定を行うことができる。なお、詳細設定を行うための画面については図１５、図１６、図１７に示すとおりである。
【０１０９】
ユーザがプリンタドライバ１３１３の印刷制御画面の設定を終了し、「ＯＫ」ボタン１２０５を押下すると、印刷ジョブが画像形成装置１０７に出力される。印刷ジョブの出力を止めたい場合には、「キャンセル」ボタン１４０４を押下すればよい。
【０１１０】
３．２  プリンタドライバ１３１３のプロパティ設定画面
図１５は、プロパティ設定画面の一例を示す図である。プリンタドライバ１３１３のプロパティ設定画面（図１５）は、プリンタドライバ１３１３の印刷制御画面のプロパティボタン１４０２を押下したときのデフォルト画面として表示される画面である。あるいはプリンタドライバ１３１３のプロパティ設定画面の「ページ設定」タブを選択することにより表示される画面である。この画面にて出力体裁等の細かな印刷属性の設定が行われる。
【０１１１】
ユーザがプリンタドライバ１３１３のプロパティ設定画面（図１５）のページ設定を終了し、「ＯＫ」ボタン１５０２を押下すると、これらの印刷属性が実際の印刷に反映される。プロパティ設定画面（図１５）のページ設定を止める場合は、「キャンセル」ボタン１５０３を押下すればよい。
【０１１２】
３．３  プリンタドライバ１３１３の拡張画面
図１６、図１７はプリンタドライバ１３１３を介して、時刻指定印刷における印刷予定時刻の入力、出力場所の入力、ユーザ情報の入力、ならびにメールのカスタマイズ本文の入力を行うための拡張画面の一例を示したものである。なお、設定内容は上記第１の実施形態と同様であるため、ここでは説明を省略する。
【０１１３】
拡張画面（図１６、図１７）は、ＯＫボタン（１６０１または１７０１）またはキャンセルボタン（１６０２または１７０２）が押下されることにより、印刷制御画面（図１４）に遷移する。
【０１１４】
拡張画面（図１６、図１７）において入力された内容は、ＯＫボタン１４０５（図１４）を押下することにより、プリンタドライバ１３１３により生成される印刷ジョブに付加され、画像形成装置１０７に送信される。
【０１１５】
４．時刻指定印刷処理の流れ
次に、本実施形態にかかる画像形成システムにおける時刻指定印刷処理の流れについて説明する。
【０１１６】
図１８は、本実施形態にかかる画像形成システムにおける、時刻指定印刷処理における各装置の処理の流れを示すフローチャートである。
【０１１７】
図１８において、紙面左側は、印刷クライアントとして機能する情報処理装置１０４における処理の流れを示している。紙面中央は、画像形成装置１０７における処理の流れを示している。更に、紙面右側は、会議案内のメールを受信する情報処理装置１０３における処理の流れをそれぞれ示している。
【０１１８】
情報処理装置１０４のドキュメント作成用アプリケーション１３１１より印刷要求が出されると、プリンタドライバ１３１３は印刷制御画面（図１４）を表示する。ステップＳ１８０１では、ユーザが印刷制御画面を介して入力した印刷予定時刻を受け付ける。ステップＳ１８０２では、ユーザが印刷制御画面を介して入力したユーザ情報を受け付ける。ステップＳ１８０３では、印刷制御画面を介してユーザが入力した出力場所を受け付ける。
【０１１９】
ステップＳ１８０４では、ドキュメント作成用アプリケーション１３１１において作成されたデータについての印刷ジョブを生成する。なお、このとき、ステップＳ１８０１からステップＳ１８０３において設定された設定内容を印刷ジョブに付加する。ステップＳ１８０５では、印刷ジョブを画像形成装置１０７に送信する。
【０１２０】
画像形成装置１０７では、情報処理装置１０４より送信された印刷ジョブを受信する。なお、印刷ジョブの受信に先立って、ステップＳ１８１１では、拡張１タブ３１５おいて生成されたウェブサイトをアクセス可能に設定しておくものとする。
【０１２１】
ステップＳ１８１２では、受信した印刷ジョブに付加された印刷予定時刻を抽出し、画像形成装置１０７に設定する。また、ステップＳ１８１３では、受信した印刷ジョブに付加されたユーザ情報を抽出し、メール送信のあて先として画像形成装置１０７に設定する。更に、ステップＳ１８１４では、受信した印刷ジョブに付加された出力場所を抽出し、画像形成装置１０７に設定する。
【０１２２】
ステップＳ１８１５では、情報処理装置１０４より画像形成装置１０７に送信された印刷ジョブに基づいてプリントレディデータを生成し、データ管理部２０７に格納する。また、当該プリントレディデータを各種設定（印刷予定時刻、ユーザ情報、出力場所）と対応付けて印刷予約設定として登録する。
【０１２３】
ステップＳ１８１６では、送信タブ３１２において生成された会議案内のメール（図１１）をステップＳ１８１３において設定されたあて先に向けて送信する。
【０１２４】
情報処理装置１０３では、当該送信されたメールを受信する（ステップＳ１８２２）。情報処理装置１０３のユーザは、ブラウザ機能を用いて、当該メールに記載されたＵＲＬにアクセスし、図１０に示すウェブサイトを情報処理装置１０３上に表示する。そして、ユーザは、図１１のメールの内容に基づいて、会議資料が必要か否かを判断し、該判断に従ってウェブサイトに入力を行う。ブラウザは該入力内容を該ユーザＩＤとともに画像形成装置１０７に送信する（ステップＳ１８２３）。なお、ユーザＩＤは、情報処理装置１０３にログインする際に、予めユーザが入力しているものとする（ステップＳ１８２１）。
【０１２５】
画像形成装置１０７では、情報処理装置１０３から送信された内容に基づいて、印刷要求か印刷しない旨の要求かを認識する。また、送信したユーザのユーザＩＤを認識する。そして、これらの認識結果に基づいて、ウェブサイト１００１のユーザステータスを更新すると共に、印刷要求と認識した場合にあっては、印刷予約設定の印刷枚数をインクリメントする。
【０１２６】
ステップＳ１８１８では、ステップＳ１８１２において設定された印刷予定時刻になったか否かを判定する。印刷予定時刻になったと判定された場合には、ステップＳ１８１９に進み、印刷枚数が１枚以上であるか否かを判定する。
【０１２７】
ステップＳ１８１９において印刷枚数が１枚以上であると判定された場合には、ステップＳ１８２０に進む。ステップＳ１８２０では、印刷対象のプリントレディデータをデータ管理部２０７より読み出し、ステップＳ１８１７において認識された印刷枚数分、印刷する。一方、印刷枚数が１枚以上でないと判定された場合には、印刷は実行されることなく、処理を終了する。
【０１２８】
以上の説明から明らかなように、上記第１の実施形態同様、時刻指定印刷機能に加え、ウェブサーバ機能を備え、各情報処理装置からの印刷要求をカウントし、カウント結果を印刷枚数として自動的に印刷予約設定に反映させる構成とした。
【０１２９】
この結果、ユーザは印刷枚数の設定を行う必要がなくなり、時刻指定印刷機能を備える画像形成装置に対して印刷予約設定を行う際の、ユーザの利便性が向上することとなる。
【０１３０】
更に、上記第１の実施形態同様、メール送信機能を備えており、会議案内等のメールを各情報処理装置に送信するに際して、印刷要求をカウントするウェブサイトのＵＲＬを付加することができる。これにより、各情報処理装置のユーザは、当該ウェブサイトに簡単にアクセスすることができる。
【０１３１】
なお、本実施形態にかかる画像形成装置では、印刷予約設定のための情報入力機能を、情報処理装置が備えるプリンタドライバに持たせ、画像形成装置では、印刷ジョブとともに送信された各種情報に基づいて設定を行うよう構成した。この結果、印刷予約設定を情報処理装置のユーザが入力することができるようになる。
【０１３２】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１３３】
また、本発明の目的は、前述した実施形態の機能を実現するソフトウェアのプログラムコードを記録した記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１３４】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１３５】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３６】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１３７】
【図１】本発明の第１の実施形態にかかる画像形成装置（１０７）を備える画像形成システムの全体構成の一例を示す図である。
【図２】本発明の第１の実施形態にかかる画像形成装置（１０７）の機能構成を示す図である。
【図３】画像形成装置１０７の操作部２０２の詳細を示す図である。
【図４】拡張１タブ３１４を押下することにより表示される操作画面の一例を示す図である。
【図５】ユーザ設定ボタン４０６を押下した場合に表示されるユーザ選択画面の一例を示す図である。
【図６】場所設定ボタン４０７を押下した場合に表示される出力場所指定画面の一例を示す図である。
【図７】時間設定ボタン４０８を押下した場合に表示される時間指定画面の一例を示す図である。
【図８】タスク状況ボタン４１１を押下した場合に表示される印刷予約設定登録状態表示画面の一例を示す図である。
【図９】図４にて詳細設定ボタン４１２を押下した場合に遷移する詳細設定画面の一例を示す図である。
【図１０】拡張２タブ３１５において生成され、情報処理装置１０３、１０４にアクセス可能に提供されるウェブサイトの一例を示す図である。
【図１１】送信タブ３１２において生成され、情報処理装置１０３、１０４に送信された会議案内のメールの一例を示す図である。
【図１２】本発明の第１の実施形態にかかる画像形成システムにおける時刻指定印刷処理の流れを示すフローチャートである
【図１３】本発明の第２の実施形態にかかる画像形成システムにおける情報処理装置１０４の構成を示す図である。
【図１４】ドキュメント作成用アプリケーション１３１１において印刷指示を選択した場合に表示される、プリンタドライバ１３１３のダイアログの一例を示す図である。
【図１５】プロパティ設定画面の一例を示す図である。
【図１６】プリンタドライバ１３１３を介して、時刻指定印刷における印刷予定時刻の入力、出力場所の入力、ユーザ情報の入力、ならびにメールのカスタマイズ本文の入力を行うための拡張画面の一例を示したものである。
【図１７】プリンタドライバ１３１３を介して、時刻指定印刷における印刷予定時刻の入力、出力場所の入力、ユーザ情報の入力、ならびにメールのカスタマイズ本文の入力を行うための拡張画面の一例を示したものである。
【図１８】本発明の第２の実施形態にかかる画像形成システムにおける、時刻指定印刷処理における各装置の処理の流れを示すフローチャートである。
【図１】
2008213339.tif 000003
【図２】
2008213339.tif 000004
【図３】
2008213339.tif 000005
【図４】
2008213339.tif 000006
【図５】
2008213339.tif 000007
【図６】
2008213339.tif 000008
【図７】
2008213339.tif 000009
【図８】
2008213339.tif 000010
【図９】
2008213339.tif 000011
【図１０】
2008213339.tif 000012
【図１１】
2008213339.tif 000013
【図１２】
2008213339.tif 000014
【図１３】
2008213339.tif 000015
【図１４】
2008213339.tif 000016
【図１５】
2008213339.tif 000017
【図１６】
2008213339.tif 000018
【図１７】
2008213339.tif 000019
【図１８】
2008213339.tif 000020